(57)【要約】【課題】部品点数を増加させることなく縦框と横框の連結部分を構成するコーナー部分に生じる隙間を加熱発泡材で閉塞することのできる開口部装置を提供する。【解決手段】上下の横枠１０，１１と左右の縦枠１２，１２とを方形状に枠組みしてなる枠体１内に、上下の横框２０，２１と左右の縦框２２，２２とを方形状に框組みしてなる框体３を有する障子２を納め、縦枠１２の内周面１２ａのうち、少なくとも縦框２２と対向しない部位に加熱発泡材１４を配置する。【選択図】図１
2014077309.tif 000002
【特許請求の範囲】
【請求項１】
上下の横枠と左右の縦枠とを方形状に枠組みしてなる枠体内に、上下の横框と左右の縦框とを方形状に框組みしてなる框体を有する障子を納めた開口部装置において、
前記縦枠の内周面のうち、少なくとも前記縦框と対向しない部位に加熱発泡材を配置したことを特徴とする開口部装置。
【請求項２】
前記横框は、室外側面に前記枠体側に延出された室外延出部と、室内側面に前記枠体側に延出された室内延出部とを備え、前記室外延出部と前記室内延出部と前記横枠とで囲まれる空間を塞ぐように前記横框に加熱発泡材を設けたことを特徴とする請求項１記載の開口部装置。
【請求項３】
前記横框に設けられる加熱発泡材は、前記室外延出部のうち前記枠体に設けられるレール部に対向する側に配置されることを特徴とする請求項２記載の開口部装置。
【発明の詳細な説明】
【技術分野】
【０００１】
本発明は、建物開口部に設けられる枠体内に障子を納めた開口部装置に関し、特に火災発生時に枠体と障子の間に生じる隙間をコーナー部を含めて塞ぐことのできる開口部装置に関する。
【背景技術】
【０００２】
建物開口部に設けられる枠体内に障子を納めた開口部装置において、火災発生時に高温に晒された場合に、枠体と障子の間に生じる隙間を塞ぐための方策が採られている。例えば、障子を構成する框体の枠体と対向する位置に加熱発泡材を設け、火災発生時には加熱発泡材が発泡して体積が膨張することにより、枠体と障子の間の隙間を閉塞するものが知られている。框体を構成する横框の室外側面端部に加熱発泡材を設けた開口部装置として、例えば特許文献１に挙げるものがある。
【０００３】
一方、框体は、左右の縦框の側面に上下の横框の端面が突き当てられる、所謂縦勝ちの組み合わせが一般的であり、特許文献１のように横框の室外側面端部に加熱発泡材を設けた場合には、框体のコーナー部分に加熱発泡材を配置できない。このため、框体のコーナー部分に隙間を生じる可能性がある。
【０００４】
框体のコーナー部分にも加熱発泡材を配置するため、例えば特許文献２では、縦框と横框を連結するコーナー部分にコーナー部材を設け、このコーナー部材に加熱発泡材を配置して、コーナー部分に生じる隙間を閉塞するようにしている。
【先行技術文献】
【特許文献】
【０００５】
【特許文献１】特開２００４−１６９４５３号公報
【特許文献２】特開２０１２−１４４８６６号公報
【発明の概要】
【発明が解決しようとする課題】
【０００６】
しかし、コーナー部材に加熱発泡材を取付けた場合、火災発生時にはコーナー部材が溶融するなどして加熱発泡材の発泡方向が安定せず、枠体と障子の間を確実に閉塞することができないことがあった。
【０００７】
本発明は前記課題を鑑みてなされたものであり、コーナー部分において火災発生時に障子と枠体の間を確実に閉塞することのできる開口部装置を提供することを目的とする。
【課題を解決するための手段】
【０００８】
前記課題を解決するため、請求項１の発明に係る開口部装置は、上下の横枠と左右の縦枠とを方形状に枠組みしてなる枠体内に、上下の横框と左右の縦框とを方形状に框組みしてなる框体を有する障子を納めた開口部装置において、
前記縦枠の内周面のうち、少なくとも前記縦框と対向しない部位に加熱発泡材を配置したことを特徴として構成されている。
【０００９】
請求項１に係る発明によれば、縦枠の縦框と対向しない部位に配置された加熱発泡材が発泡することで、開口部装置のコーナー部分において火災発生時に枠体と障子の間に生じる隙間を塞ぐことができる。
【００１０】
また、請求項２の発明に係る開口部装置は、前記横框は、室外側面に前記枠体側に延出された室外延出部と、室内側面に前記枠体側に延出された室内延出部とを備え、前記室外延出部と前記室内延出部と前記横枠とで囲まれる空間を塞ぐように前記横框に加熱発泡材を設けたことを特徴として構成されている。
【００１１】
請求項２に係る発明によれば、開口部装置の縦辺から横辺に渡って火災発生時に加熱発泡材により枠体と障子の間の隙間を閉塞することができる。
【００１２】
さらに、請求項３の発明に係る開口部装置は、前記横框に設けられる加熱発泡材は、前記室外延出部のうち前記枠体に設けられるレール部に対向する側に配置されることを特徴として構成されている。
【００１３】
請求項３に係る発明によれば、加熱発泡材がレール部に向かって発泡することで、開口部装置の横辺において枠体と障子の間の隙間を確実に閉塞することができる。
【発明の効果】
【００１４】
本発明に係る開口部装置によれば、横框と縦枠にそれぞれ加熱発泡材を設けることで、火災発生時に開口部装置のコーナー部分における枠体と障子の間の隙間を効果的に塞ぐことができ、防火性能を向上させることができる。
【図面の簡単な説明】
【００１５】
【図１】第１の実施形態における開口部装置の正面図である。
【図２】開口部装置の縦断面図である。
【図３】開口部装置の横断面図である。
【図４】アーム部材を含む開口部装置のコーナー部付近正面図である。
【図５】加熱発泡材が発泡した状態における縦枠と縦框の拡大横断面図である。
【図６】加熱発泡材が発泡した状態における下枠と下框の拡大縦断面図である。
【図７】第２の実施形態における開口部装置の縦断面図である。
【図８】第２の実施形態における開口部装置の横断面図である。
【発明を実施するための形態】
【００１６】
本発明の実施形態について図面に沿って詳細に説明する。図１には、第１の実施形態における開口部装置の正面図を示している。この図に示すように、本実施形態の開口部装置は、上枠１０と下枠１１及び左右の縦枠１２，１２を方形状に枠組みしてなる枠体１内に障子２を開閉自在に納めてなるものである。障子２は、上框２０と下框２１及び左右の縦框２２，２２を方形状に框組みしてなる框体３内に、ガラス板からなるパネル体４を納めて構成されている。この開口部装置は、障子２がアーム部材５によって一方の縦辺側を軸に室外側に向かって開放自在となるように枠体１に支持された縦辷り出し窓として構成されている。
【００１７】
横枠である上枠１０と下枠１１は、それぞれ両端部が縦枠１２，１２の側面に突き当てられ、連結されている。また、横框である上框２０と下框２１は、それぞれ両端部が縦框２２，２２の側面に突き当てられ、連結されている。一方の縦框２２には、ハンドル部６が設けられ、障子２を開閉操作自在としている。
【００１８】
図２には開口部装置の縦断面図を、図３には開口部装置の横断面図を、それぞれ示している。上枠１０の内周面１０ａには、内周側に向かって突出し上框２０の室内側面と対向する室内起立面１０ｂが形成され、その先端部には上框２０の室内側面に当接する気密材１３が設けられている。下枠１１の内周面には、内周側に向かって突出し下框２１の室内側面と対向する室内起立面１１ｂが形成され、その先端部には下框２１の室内側面に当接する気密材１３が設けられている。縦枠１２の内周面には、内周側に向かって突出し縦框２２の室内側面と対向する室内起立面１２ｂが形成され、その先端部には縦框２２の室内側面に当接する気密材１３が設けられている。
【００１９】
図２に示すように、上框２０の室外側面は、対向する上枠１０の内周面１０ａ側に向かって延出される室外延出面部２０ｂを有している。この室外延出面部２０ｂの室内側に面する側には、シート状の加熱発泡材２３が取付けられている。加熱発泡材２３は、火災発生時の高温に晒されることで発泡し、面方向に体積が増加するものである。上框２０に設けられる加熱発泡材２３は、図１に示すように、上框２０の長手方向略全長に渡って設けられる。上框２０は、前述のように端面が縦框２２の側面に突き当てられるため、加熱発泡材２３の端部位置は縦框２２の側面に隣接する位置となる。
【００２０】
下框２１の室外側面は、対向する下枠１１の内周面１１ａ側に向かって延出される室外延出面部２１ｂを有している。この室外延出面部２１ｂの室内側に面する側には、シート状の加熱発泡材２４が取付けられている。下框２１に設けられる加熱発泡材２４は、図１に示すように、下框２１の長手方向略全長に渡って設けられる。下框２１は、前述のように端面が縦框２２の側面に突き当てられるため、加熱発泡材２４の端部位置は縦框２２の側面に隣接する位置となる。
【００２１】
図３に示すように、縦枠１２の内周面１２ａの室外側寄りには、縦框２２の外周面２２ａに向かって面するように加熱発泡材１４が取付けられている。縦枠１２に設けられる加熱発泡材１４は、図１及び図２に示すように、上端部と下端部にそれぞれ長手方向に沿うように設けられている。また、これらの加熱発泡材１４は、縦枠１２の内周面のうち縦框２２の上端部より上方と下端部より下方にそれぞれ渡るように設けられている。すなわち、加熱発泡材１４は縦枠１２の内周面のうち縦框２２と対向しない部位を含む領域に設けられている。
【００２２】
図４には、アーム部材５を含む開口部装置のコーナー部付近正面図を示している。アーム部材５は、下枠１１に固定される枠体固定部５ａと、枠体１と框体３とを連結するアーム部５ｂと、縦框２２の下部に固定される框体固定部５ｃとを有している。また、縦框２２内には裏板部材５ｄが設けられ、この裏板部材５ｄに対して框体固定部５ｃがネジ止め固定されている。
【００２３】
このように、開口部装置のコーナー部付近に部材が配置されている場合、框体３のコーナー部に加熱発泡材を設けていたとしても、火災発生時に加熱発泡材が発泡した際に、コーナー部の部材に加熱発泡材が遮られ、隙間が残ってしまうという問題がある。これに対し、縦枠１２の内周面１２ａに加熱発泡材１４を設けていることで、開口部装置のコーナー部において枠体１と框体３の間を効果的に塞ぐことができる。
【００２４】
火災が発生して開口部装置が高温に晒されると、枠体１や框体３に設けられた加熱発泡材が発泡する。図５には加熱発泡材が発泡した状態における縦枠１２と縦框２２の拡大横断面図を、図６には加熱発泡材が発泡した状態における下枠１１と下框２１の拡大縦断面図を、それぞれ示している。これらの図では、開口部装置の下辺において発泡した加熱発泡材についてハッチングを付して示している。
【００２５】
下框２１の室外延出面部２１ｂに取付けられた加熱発泡材２４は、室内側に面しているので、室内側に向かって発泡し、下框２１と下枠１１の間の隙間を長手方向に沿って塞ぐ。また、縦枠１２の内周面１２ａに取付けられた加熱発泡材１４は、縦框２２の外周面２２ａに面しているので、縦框２２の外周面２２ａに向かって発泡し、縦枠１２と縦框２２の間の隙間を長手方向に沿って塞ぐ。
【００２６】
縦枠１２に設けられる加熱発泡材１４と下框２１に設けられる加熱発泡材２４は、図１に示すように開口部装置のコーナー部分において連続していない。しかし、火災発生時に加熱発泡材１４，２４が発泡することにより、図５に示すように、縦枠１２の加熱発泡材１４は発泡方向の先端位置が下框２１の端部位置、すなわち下框２１に設けられる加熱発泡材２４の端部位置まで達し、図６に示すように、縦枠１２の加熱発泡材１４の下端位置と下框２２の加熱発泡材２４の上端位置とは重なり合うから、両者はコーナー部分において連続し、枠体１と框体３との間の隙間を連続的に塞ぐことができる。
【００２７】
また、下框２１の加熱発泡材２４は下框２１の室外延出部２１ｂに配置され、縦枠１２の加熱発泡材１４は縦枠１２の内周面１２ａのうち室外側寄りに配置されるから、室内外方向において確実に両者を連続させることができる。
【００２８】
ここでは下框２１の加熱発泡材２４と縦枠１２の加熱発泡材１４との連続性について説明したが、下框２１の加熱発泡材２４と全く同じ配置である上框２０の加熱発泡材２３と縦枠１２の加熱発泡材１４との関係も、ここで説明したものと同じであり、開口部装置の上辺と縦辺の間のコーナー部分においても、同様に加熱発泡材１４，２３を連続させることができる。
【００２９】
このように、上框２０と下框２１には長手方向に沿って加熱発泡材２３，２４を配置し、縦枠１２の内周面１２ａには縦框２２と対向しない部位を含む長手方向に沿って加熱発泡材１４を配置したことで、開口部装置のコーナー部分において、火災発生時に枠体１と障子２の間の隙間を効果的に塞ぐことができ、防火性能を向上させることができる。
【００３０】
本実施形態では、図１に示すように、縦枠１２については少なくとも上下端部の上下に渡って加熱発泡材１４を設けているが、縦枠１２についても長手方向略全長に渡る加熱発泡材１４を設けてもよい。一方で、上框２０と下框２１について、加熱発泡材２３，２４を両端部付近にのみ設けるようにしてもよい。
【００３１】
次に、本発明の第２の実施形態について説明する。図７には第２の実施形態における開口部装置の縦断面図を、図８には第２の実施形態における開口部装置の横断面図を、それぞれ示している。これら各図に示すように、第２の実施形態の開口部装置は、上枠４０と下枠４１及び左右の縦枠４２，４２を方形状に枠組みしてなる枠体３０内に内障子３１と外障子３２を引き違い状に納めてなる引き違い開口部装置である。
【００３２】
内障子３１と外障子３２は、それぞれ上框５０と下框５１及び左右の縦框５２，５２を方形状に框組みしてなる框体３３内にガラス板からなるパネル体３４を納めて構成されている。本実施形態の框体３３も、第１の実施形態と同様、上框５０と下框５１の両端部が縦框５２の側面に突き当てられ、連結されることで框組みされている。
【００３３】
上枠４０の内周面４０ａには、内障子３１の上辺を案内する上内レール部４０ｂと、外障子３２の上辺を案内する上外レール部４０ｃとが形成されている。また、下枠４１の内周面４１ａには、内障子３１を走行自在に案内する内レール部４１ｂと、外障子３２を走行自在に案内する外レール部４１ｃとが形成されている。
【００３４】
内障子３１と外障子３２の上框５０には、外周側に上内レール部４０ｂまたは上外レール部４０ｃに案内される凹状の案内溝５０ａが形成されている。また、内障子３１と外障子３２の下框５１には、内レール部４１ｂまたは外レール部４１ｃの上を走行自在な戸車５３が設けられている。
【００３５】
上框５０の案内溝５０ａを構成する両側壁には、それぞれ対向するように加熱発泡材５４，５４が取付けられている。この加熱発泡材５４は、上框５０の長手方向略全長に渡って設けられている。なお、加熱発泡材５４を上框５０の両端部付近にのみ設けるようにしてもよい。また、加熱発泡材５４を、案内溝５０ａを構成する底壁に設けてもよい。
【００３６】
下框５１の室外側面は、下枠４１の内周面に向かって延出された室外延出面部５１ａを有しており、室外延出面部５１ａの室内側に面する側に加熱発泡材５５が取付けられている。加熱発泡材５５は、下框５１の長手方向略全長に渡って設けられている。なお、加熱発泡材５５を下框５１の両端部付近にのみ設けるようにしてもよい。この加熱発泡材５５により、下框５１の室内側面で下枠４１に向かって延出された室内延出面部５１ｂと、室外延出面部５１ａ及び下框５１の下面に囲まれた領域を、火災発生時に塞ぐことができる。
【００３７】
内障子３１が配置される側の縦枠４２は、内周面４２ａに内障子３１の縦框５２と対向するフィン部４２ｂを有し、それより室外側には中間突出部４２ｃを有している。縦枠４２の内周面４２ａには、フィン部４２ｂから中間突出部４２ｃにかけ長手方向に沿って加熱発泡材４３が取付けられている。
【００３８】
外障子３２が配置される側の縦枠４２は、内周面４２ａに外障子３２の縦框５２と対向するフィン部４２ｂを有し、それより室外側には室外側面４２ｄを有している。縦枠４２の内周面４２ａには、フィン部４２ｂから室外側面４２ｄにかけ長手方向に沿って加熱発泡材４３が取付けられている。
【００３９】
縦枠４２に設けられる加熱発泡材４３は、いずれも縦枠４２の両端部付近に設けられる。一方で、加熱発泡材４３を縦枠４２の長手方向略全長に渡って設けてもよい。
【００４０】
第２の実施形態でも、上框５０と下框５１は両端部が縦框５２に突き当てられているので、上框５０の加熱発泡材５４と下框５１の加熱発泡材５５の各端部は、縦枠４２の加熱発泡材４３と間隔が空いているが、火災発生時に発泡することにより、縦枠４２の加熱発泡材４３の発泡方向先端部が、上框５０の加熱発泡材５４や下框５１の加熱発泡材５５の位置まで達し、これらを連続させることができるので、開口部装置のコーナー部分における枠体３０と框体３３の間の隙間を塞ぐことができる。
【００４１】
以上、本発明の実施形態について説明したが、本発明の適用は本実施形態には限られず、その技術的思想の範囲内において様々に適用されうるものである。ここでは、縦辷り出し窓開口部装置と引き違い窓開口部装置に対し本発明を適用したものを説明したが、その他の種類の開口部装置であっても、枠体内に障子を納めた開口部装置であれば、本発明を適用することができる。
【符号の説明】
【００４２】
１    枠体
２    障子
３    框体
４    パネル体
５    アーム部材
６    ハンドル部
１０    上枠
１１    下枠
１２    縦枠
１３    気密材
１４    加熱発泡材
２０    上框
２１    下框
２２    縦框
２３    加熱発泡材
２４    加熱発泡材
３０    枠体
３１    内障子
３２    外障子
３３    框体
３４    パネル体
４０    上枠
４１    下枠
４２    縦枠
４３    加熱発泡材
５０    上框
５１    下框
５２    縦框
５３    戸車
５４    加熱発泡材
５５    加熱発泡材
【図１】
2014077309.tif 000003
【図２】
2014077309.tif 000004
【図３】
2014077309.tif 000005
【図４】
2014077309.tif 000006
【図５】
2014077309.tif 000007
【図６】
2014077309.tif 000008
【図７】
2014077309.tif 000009
【図８】
2014077309.tif 000010